(57)【要約】【課題】構造が簡易で取り付け、取り外し操作の容易な車両側面窓用日除けを提供する。【解決手段】運転席側面ドア（３）を受けるドア入り口（４）の上部後方側の車内内側端部、該位置から車両前方側に所定距離離れた車内内側端部、前記上部後方側の車内内側端部から下方側に所定距離離れた車内内側端部にそれぞれ第１、第２、第３の面ファスナー（１１、１２、１３）を取り付ける。太陽光線を遮光する日除けシート（９）を第１、第２、第３の面ファスナーを直線で結んだ形状に略等しい略三角形状に形成し、その略三角形状の３隅に第１、第２、第３の各面ファスナーと係合する第４、第５、第６の面ファスナー（１４、１５、１６）を取り付ける。第１、第２、第３の面ファスナーを第４、第５、第６の面ファスナーに係合させて日除けシートを取り付け日除けとする。【選択図】図1
2008006948.tif 000002
【特許請求の範囲】
【請求項１】
自動車運転席の側面窓（７）から差し込む太陽光線を遮るための車両用日除け（１）であって、運転席側面ドア（３）を受けるドア入り口（４）の上部後方側に位置する車内内側端部に取り付けた第１の面ファスナー（１１）と、
前記第１の面ファスナーの取り付け位置から車両前方側に所定距離離れた車内内側端部に取り付けた第２の面ファスナー（１２）と、
前記第１の面ファスナーの取り付け位置から下方側に所定距離離れた車内内側端部に取り付けた第３の面ファスナー（１３）と、
太陽光線を遮光または半遮光できる日除けシート（９）であって、前記第１、第２、第３の面ファスナーを直線で結んだ形状に略等しい略三角形状を成し、該略三角形状の３隅に前記第１、第２、第３の各面ファスナーとそれぞれ係合する第４、第５、第６（１４、１５、１６）の面ファスナーを取り付けた日除けシートと、を備えることを特徴とする車両用日除け。
【請求項２】
請求項１に記載の車両用日除けであって、更に、前記第１の面ファスナーの取り付け位置から下方側に、前記第１、第２の面ファスナー間の距離に略等しい距離離れた車内内側端部に取り付けた第７の面ファスナー（１７）と、
前記第１、第７の面ファスナーの取り付け位置の略中間に位置する車内内側端部に取り付けられ、前記第４の面ファスナーを前記第１の面ファスナーに、前記第６の面ファスナーを前記第３の面ファスナーに、前記第５の面ファスナーは前記日除けシートを丸めた上で前記第７の面ファスナーにそれぞれ係合させた状態で前記日除けシートを束ねて保持できるように両端に面ファスナーを取り付けたカーテンタッセル（２０）と、を備えることを特徴とする車両用日除け。
【請求項３】
運転席側面ドアを受けるドア入り口の上部後方側に位置する車内内側端部に取り付けた第１の面ファスナーと、前記第１の面ファスナーの取り付け位置から車両前方側に所定距離離れた車内内側端部に取り付けた第２の面ファスナーと、前記第１の面ファスナーの取り付け位置から下方側に所定距離離れた車内内側端部に取り付けた第３の面ファスナーとに固定して自動車運転席の側面窓から差し込む太陽光線を遮るための車両用日除けシート（９）であって、
太陽光線を遮光または半遮光できる日除けシートを前記第１、第２、第３の面ファスナーを直線で結んだ形状に略等しい略三角形状に形成し、該略三角形状シートの３隅には前記第１、第２、第３の各面ファスナーにそれぞれ係合させる第４、第５、第６の面ファスナーを取り付けたことを特徴とする車両用日除けシート。
【請求項４】
請求項１又は２に記載の車両用日除けにおいて、前記日除けシートは伸縮性を有するメッシュ編織物を使用して構成してあることを特徴とする車両用日除け。
【請求項５】
請求項３に記載の車両用日除けシートにおいて、該日除けシートは伸縮性を有するメッシュ編織物を使用して構成してあることを特徴とする車両用日除けシート。
【請求項６】
自動車運転席の側面窓から差し込む太陽光線を遮るための車両用日除け方法であって、  運転席側面ドアを受けるドア入り口の上部後方側に位置する車内内側端部には第１の面ファスナーを、前記第１の面ファスナーの取り付け位置から車両前方側に所定距離離れた車内内側端部には第２の面ファスナーを、前記第１の面ファスナーの取り付け位置から下方側に所定距離離れた車内内側端部には第３の面ファスナーを、それぞれ固定する第１の段階と、
太陽光線を遮光または半遮光できる日除けシートであって前記第１、第２、第３の面ファスナーを直線で結んだ形状に略等しい略三角形状を成し、該略三角形状の３隅に前記第１、第２、第３の各面ファスナーとそれぞれ係合可能な第４、第５、第６の面ファスナーを取り付けた日除けシートを、前記第４の面ファスナーは前記第１の面ファスナーに、前記第６の面ファスナーは前記第３の面ファスナーにそれぞれ係合させる第２の段階と、
前記第２の段階の後に前記第５の面ファスナーを前記第２の面ファスナーに係合させる第３の段階と、
前記第３の段階の後であって前記太陽光線の遮光を必要としない時に、前記第５の面ファスナーの前記第２の面ファスナーへの係合を解き、前記第１の面ファスナーの取り付け位置から下方側で前記第１、第２の面ファスナー間の距離に略等しい距離離れた車内内側端部に取り付けた第７の面ファスナーに前記第５の面ファスナーを係合させる第４の段階と、
前記第４の段階の後に、前記第１、第７の面ファスナーの取り付け位置の略中間に位置する車内内側端部に取り付けられ前記日除けシートを束ねて保持できるように両端に面ファスナーを取り付けたカーテンタッセルによって前記日除けシートを束ねて保持させる第５の段階と、を有することを特徴とする車両用日除け方法。
【発明の詳細な説明】
【技術分野】
【０００１】
本発明は、車両の側面窓から差し込む太陽光線を遮るための日除け技術に係り、特には自動車運転席の側面窓用に好適な車両用日除け、車両用日除けシート及び車両用日除け方法に関する。
【背景技術】
【０００２】
走行中の自動車の運転席窓を通して差し込んだ太陽光線が運転者の目に入ることがある。差し込んだ太陽光線は運転者の目を眩ませ、それが原因で交通事故が発生することがある。その防止対策としてフロントガラス正面より差し込む太陽光線に対しては、運転席や助手席の上部にサンバイザーと呼ばれる日除けが広く装備されている。
【０００３】
しかし、太陽の方向と車両の進行方向との関係よっては運転席側面窓から太陽光線が差し込む場合があり、その光線も効果的に遮蔽できることが望まれる。運転席側面窓から差し込む太陽光線を遮る従来技術としは、例えば、特許文献１に開示されて日除けスクリーン３０がある。この日除けスクリーン３０は、図６に示すようにスクリーン本体３１の両端部に吸盤３２が取り付けてあり、運転席側面の窓ガラス３３にその吸盤３２を吸着させてスクリーン本体３１を固定して日除けとするものである。しかし、この日除けスクリーン３０は、窓を開けている状態では取り付けできない。また、取り付けた状態では窓を開閉できないため使い勝手が悪い問題がある。
【０００４】
別の従来技術として、サンバイザー４０を図７に示すようにフロントガラス４１上方天井に取り付けたアーム４２を介して回動可能に装着したものがある。このサンバイザー４０にあっては、フロントガラス４１正面より太陽光線が入射するときは図中の矢印４３で示すようにサンバイザー４０を手前に倒して光を遮る。一方、側面窓を通して太陽光線が入射するときは、図中の矢印４４で示すようにサンバイザー４０を更に側面窓４５側に回動させて太陽光線を遮るように操作される。
【０００５】
しかし、この技術にあってはサンバイザー４０がフロントガラス４１正面からの入射光を遮ることを主目的に設計されているため、サンバイザー４０を回動させたときのサンバイザー４０の長さが側面窓４５の幅よりも短くなる。このため側面窓４５上部を十分に覆うことができず、側方上部後方側から差し込む太陽光線を十分には遮ることができない。また、運転者の側面に入射する太陽光線を遮ることができないため、日差しの強い時には運転者の体温上昇を招く問題がある。
【特許文献１】実開昭５９−１８５１２３号公報
【発明の開示】
【発明が解決しようとする課題】
【０００６】
本発明は、従来技術のこうした問題点を解決するためになされたもので、その課題は
簡易な構造でもって車両側面窓、特には運転者側の側面窓から差し込む太陽光線を遮ることができ、且つ運転者の側方視界もかなりの程度確保でき、加えて不必要な場合には簡単に片づけることのできる車両側面窓用日除け技術を提供することにある。
【課題を解決するための手段】
【０００７】
前記課題を達成するための請求項１に記載の発明は、自動車運転席の側面窓（７）から差し込む太陽光線を遮るための車両用日除け（１）であって、運転席側面ドア（３）を受けるドア入り口（４）の上部後方側に位置する車内内側端部に取り付けた第１の面ファスナー（１１）と、その第１の面ファスナーの取り付け位置から車両前方側に所定距離離れた車内内側端部に取り付けた第２の面ファスナー（１２）と、第１の面ファスナーの取り付け位置から下方側に所定距離離れた車内内側端部に取り付けた第３の面ファスナー（１３）と、太陽光線を遮光または半遮光できる日除けシート（９）であって、第１、第２、第３の面ファスナーを直線で結んだ形状に略等しい略三角形状を成し、その略三角形状の３隅に第１、第２、第３の各面ファスナーとそれぞれ係合する第４、第５、第６（１４、１５、１６）の面ファスナーを取り付けた日除けシートと、を備えることを特徴とする車両用日除けである。
【０００８】
このような構成の車両用日除けによれば、必要な時に簡単な操作で日除けシートを取り付けることができる。また、本構成の車両用日除けの日除けシートは略三角形状をしているため運転者の側方視界が確保される利点を有する。更に、日除けシートを取り付けた状態でも側面窓ガラスの開閉を自由に行うことができる利点を有する。
【０００９】
また、請求項２に記載の発明は、請求項１に記載の車両用日除けであって、更に、第１の面ファスナーの取り付け位置から下方側に、第１、第２の面ファスナー間の距離に略等しい距離離れた車内内側端部に取り付けた第７の面ファスナー（１７）と、第１、第７の面ファスナーの取り付け位置の略中間に位置する車内内側端部に取り付けられ、第４の面ファスナーを第１の面ファスナーに、第６の面ファスナーを第３の面ファスナーに、第５の面ファスナーは日除けシートを丸めた上で第７の面ファスナーにそれぞれ係合させた状態で日除けシートを束ねて保持できるように両端に面ファスナーを取り付けたカーテンタッセル（２０）と、を備えることを特徴とする車両用日除けである。
【００１０】
このような構成の車両用日除けは、請求項１に記載の発明の効果と同様の効果を奏する。更に、日除けを必要としない時には日除けシートを簡単な操作で取り外し、小さい収容スペースに収納できる利点を有する。
【００１１】
また、請求項３に記載の発明は、運転席側面ドアを受けるドア入り口の上部後方側に位置する車内内側端部に取り付けた第１の面ファスナーと、その第１の面ファスナーの取り付け位置から車両前方側に所定距離離れた車内内側端部に取り付けた第２の面ファスナーと、第１の面ファスナーの取り付け位置から下方側に所定距離離れた車内内側端部に取り付けた第３の面ファスナーとに固定して自動車運転席の側面窓から差し込む太陽光線を遮るための車両用日除けシート（９）であって、太陽光線を遮光または半遮光できる日除けシートを第１、第２、第３の面ファスナーを直線で結んだ形状に略等しい略三角形状に形成し、その略三角形状シートの３隅には第１、第２、第３の各面ファスナーにそれぞれ係合させる第４、第５、第６の面ファスナーを取り付けたことを特徴とする車両用日除けシートである。
【００１２】
このような構成の車両用日除けシートは、日除けが必要となった時には簡単な操作で取り付けることができる。また、使用しない時には小さく丸めて嵩を小さくできるため、小さいスペースに収納できる利点を有する。
【００１３】
また、請求項４に記載の発明は、請求項１又は２に記載の車両用日除けにおいて、日除けシートは伸縮性を有するメッシュ編織物を使用して構成してあることを特徴とする車両用日除けである。
【００１４】
日除けシートの材料に伸縮性を有するメッシュ編織物を使用すれば、シートを伸ばした状態で取り付けることができる。このため、取り付けた状態での皺の発生を防ぐことができることから美観を高めることができる。また、使用しない時の嵩が小さくなるため収納スペースを小さくできる。
【００１５】
また、請求項５に記載の発明は、請求項３に記載の車両用日除けシートにおいて、日除けシートは伸縮性を有するメッシュ編織物を使用して構成してあることを特徴とする車両用日除けシートである。
このような構成の車両用日除けシートは、請求項４に記載の発明の効果と同様の効果を奏する。
【００１６】
また、請求項６に記載の発明は、自動車運転席の側面窓から差し込む太陽光線を遮るための車両用日除け方法であって、運転席側面ドアを受けるドア入り口の上部後方側に位置する車内内側端部には第１の面ファスナーを、その第１の面ファスナーの取り付け位置から車両前方側に所定距離離れた車内内側端部には第２の面ファスナーを、第１の面ファスナーの取り付け位置から下方側に所定距離離れた車内内側端部には第３の面ファスナーを、それぞれ固定する第１の段階と、太陽光線を遮光または半遮光できる日除けシートであって第１、第２、第３の面ファスナーを直線で結んだ形状に略等しい略三角形状を成し、その略三角形状の３隅に第１、第２、第３の各面ファスナーとそれぞれ係合可能な第４、第５、第６の面ファスナーを取り付けた日除けシートを、第４の面ファスナーは第１の面ファスナーに、第６の面ファスナーは第３の面ファスナーにそれぞれ係合させる第２の段階と、第２の段階の後に第５の面ファスナーを第２の面ファスナーに係合させる第３の段階と、第３の段階の後であって太陽光線の遮光を必要としない時に、第５の面ファスナーの第２の面ファスナーへの係合を解き、第１の面ファスナーの取り付け位置から下方側で第１、第２の面ファスナー間の距離に略等しい距離離れた車内内側端部に取り付けた第７の面ファスナーに第５の面ファスナーを係合させる第４の段階と、第４の段階の後に第１、第７の面ファスナーの取り付け位置の略中間に位置する車内内側端部に取り付けられ前記日除けシートを束ねて保持できるように両端に面ファスナーを取り付けたカーテンタッセルによってその日除けシートを束ねて保持させる第５の段階と、を有することを特徴とする車両用日除け方法である。
【００１７】
このような車両用日除け方法によれば、太陽光線の遮光が必要となった場合における日除けシートの取り付け、不必要となった場合における取り外しを簡単な操作で行うことができる。また、不必要になった場合における日除けシートの収納も簡単な操作で行うことができる。
【発明を実施するための最良の形態】
【００１８】
以下、本発明を実施するための一形態を図面を参照して説明する。図１は、本発明に係る車両用日除けシート１を車両２の運転席側面ドア３を受けるドア入り口４の車内内側端部に取りつけ、側面窓７を通して差し込む太陽光線を遮っている状態を表している。図は、右ハンドル車の右側ドアの側面窓７からの太陽光線を遮る場合の使用例である。
【００１９】
本実施形態の車両用日除け１は図２に示すように、日除けシート９と、運転席ドア入り口４の内側端部に取り付けた第１、第２、第３、第７の４個の面ファスナー１１、１２、１３、１７と、カーテンタッセル２０を備えて構成されている。
【００２０】
日除けシート９は、前記第１、第２、第３の３個の面ファスナー１１、１２、１３に固定することにより運転席に差し込む太陽光線を遮るためのシートで、図中に示すように略三角形状に形成してある。略三角形状の３隅には、第１、第２、第３の面ファスナー１１、１２、１３に係合させるための第４、第５、第６の３個の面ファスナー１４、１５、１６が取り付けてある。
【００２１】
本実施形態の車両用日除け１は、運転席側面ドア３における側面窓７の上部、後方部分を通して差し込む太陽光線を遮ることを主目的としている。そのような位置に日除けシート９を取り付けるために、前記第１の面ファスナー１１は図２に示すように運転席側面ドア３を受けるドア入り口４の上部後方側に位置する車内内側端部に取り付けてある。
【００２２】
第２の面ファスナー１２は、図２に示すように第１の面ファスナー１１の取り付け位置から車両前方側に所定距離離れた車内内側端部に取り付けてある。そして、第３の面ファスナー１３は、図２に示すように第１の面ファスナー１１の取り付け位置から下方側に所定距離離れた車内内側端部に取り付けてある。
【００２３】
第１、第２、第３の面ファスナー１１、１２、１3を直線で結んだ形状は三角形状を成す。日除けシート９の形状は、その三角形状より僅かに大きい略三角形状にしてある。日除けシート９に取り付けた前述の第４、第５、第６の面ファスナー１４、１５、１６は、日除けシート９を取り付けた状態において第４の面ファスナー１４は第１の面ファスナー１１に、第５の面ファスナー１５は第２の面ファスナー１２に、第６の面ファスナー１６は第１の面ファスナー１１にそれぞれ係合できる位置に、日除けシート９の３隅にそれぞれ取り付けてある。
【００２４】
日除けシート９の材質はビニルシートでも良いが、軽く、嵩張らない布地が好ましい。太陽光線を遮りたい程度に応じて布地の織り目密度を決定する。また、布地は伸縮性を有するものが好ましい。伸縮性を有する場合には、若干引き延ばした状態で日除けシート９を車内内側端部に取り付けた第１、第２、第３の面ファスナー１１、１２、１３に固定できるようにそのシート形状と第４、第５、第６の面ファスナーの取り付け位置を調整する。そうしておけば皺の生じない状態で日除けシート９を取り付けることができることから美観を高めることができる。伸縮性を有する布地としては、例えばスポーツウェアによく用いられるメッシュ編みの布地が好ましい。
【００２５】
図３は、太陽光線の遮光を必要としない時に日除けシート９を取り外して収納した状態を示している。家庭における窓用カーテンを収納した場合と同じような形に収納する。但し、本実施形態の車両用日除け１ではカーテンレールを使用していない。従って、収納する場合には第５の面ファスナー１５と第２の面ファスナー１２との係合を手で解き、日除けシート９を丸めた状態にして第５の面ファスナー１５を図２に示した第７の面ファスナー１７に係合させる。この第７の面ファスナー１７は、第１の面ファスナー１１の取り付け位置から下方側に、前記第１、第２の面ファスナー１１、１２間の距離に略等しい距離離れた車内内側端部に取り付けてある。
【００２６】
更に、第１、第７の面ファスナー１１、１７の取り付け位置の略中間に位置する車内内側端部には、丸めて束ねた日除けシート９が再びばらけないようにするための縛り帯であるカーテンタッセル２０が取り付けてある。このカーテンタッセル２０は、図４に示すような形状に形成してある。伸ばすと帯状になる布でできており、帯状の両端部分には両端を係合させるための面ファスナー２１、２２が取り付けてある。図４の（１）は、両端部分の面ファスナー２１、２２を係合させていない状態を、図４の（２）は係合させた状態を表している。このカーテンタッセル２０を使用して丸め束ねた日除けシート９を図５に示すように縛った上、両端部分の面ファスナー２１、２２を係合させてばらけないように固定する。
【００２７】
このような収納方式によれば、日除けシート９の取り外しと収納を簡単な操作で行うことができる。加えて、日除けシート９を布地で製作しておけば嵩が小さくなるので、収納に要するスペースも小さくて済む利点がある。
【００２８】
図３に示すように収納してある状態から日除けシート９を再び使用する場合には、まずカーテンタッセル２０両端部分の面ファスナー２１、２２の係合を解いて日除けシート９の縛りを解く。次に第６の面ファスナー１６と第７の面ファスナー１７との係合を解いて第６の面ファスナー１６を第２の面ファスナー１２に係合させる。このような簡単な操作により日除けシート９を再び取り付けて太陽光線を遮ることができる。
【００２９】
以上、説明したように、本実施形態の車両用日除け１を用いれば、簡単な操作で運転席の側面窓７を通して差し込む太陽光線を遮ることができる。また、必要がなくなった場合には、簡単な操作で取り外して収納することができる。収納状態における日除けシート９の嵩は小さいので、収納スペースを小さくて済ますことができる。更に、側面窓７の上方と後方部分しか遮光しないので、運転者の側方視界が確保される利点がある。
（変形の実施形態）
【００３０】
本発明は、前述した実施形態のみに限定されるものでなく、次のように変形または拡張して実施することができる。
１．前述した実施形態では、日除けシート９を使用しないときには日除けシート９をカーテンタッセル２０を用いてドア入り口の車内内側端部に収納した。これに対して、日除けシート９全体を車内内側端部から取り外し、車内の箱等に収納するようにしてもよい。このような収納方式とすれば、カーテンタッセル２０と第７の面ファスナー１７を省くことができる。布製の日除けシート９は嵩張らないので、このようにしても小さいスペースに収納しておくことができる。
【００３１】
２．前述の実施形態では、右ハンドル車の右側側面窓７から差し込む太陽光線を遮光する場合について説明したが、助手席側の側面窓７から差し込む太陽光線を遮光するように取り付けてもよい。その場合には、図１に示した取り付け方とは対称に取り付ける。
【００３２】
３．また、前述の実施形態では運転席の側面窓７から差し込む太陽光線を遮光する場合について説明してきたが、車両用日除け１を後部座席の側面窓７から差し込む太陽光線を遮光するように取り付けてもよい。また、自動車だけでなく、列車の運転席側面窓、乗客車両の側面窓から差し込む太陽光線を遮光するように取り付けてもよい。
【００３３】
４．前述の実施形態ではドア入り口４の車内内側端部に日除けシート９を取り付けるようにした。これに代えて、運転席ドア枠部分に面ファスナーを取り付けるスペースがある場合には、前記第１、第２、第３の面ファスナー１１、１２、１３をそのドア枠部分に取り付けてもよい。そのようにして取り付けておけば、運転席ドアを開けた場合には日除けシート９は運転席ドアと共に外側に移動するため、運転者の乗り降りの支障にならない利点がある。
【図面の簡単な説明】
【００３４】
【図１】本発明に係る車両用日除けシート１を運転席側面ドア３側に取り付けた状態を示す図である。
【図２】車両用日除け１の取り付け方を説明する図である。
【図３】日除けシート９の収納状態を示す図である。
【図４】カーテンタッセル２０の形状説明図である。
【図５】カーテンタッセル２０で日除けシート９を縛った状態を示す図である。
【図６】従来技術に係る図１相当図である。
【図７】従来技術に係る他の図１相当図である。
【符号の説明】
【００３５】
図面中、１は車両用日除け、２は車両、３は運転席側面ドア、４はドア入り口、７は側面窓、９は日除けシート、１１は第１の面ファスナー、１２は第２の面ファスナー、１３は第３の面ファスナー、１４は第４の面ファスナー、１５は第５の面ファスナー、１６は第６の面ファスナー、１７は第７の面ファスナー、２０はカーテンタッセルを示す。
【図１】
2008006948.tif 000003
【図２】
2008006948.tif 000004
【図３】
2008006948.tif 000005
【図４】
2008006948.tif 000006
【図５】
2008006948.tif 000007
【図６】
2008006948.tif 000008
【図７】
2008006948.tif 000009